【手続補正書】
【提出日】平成18年7月10日(2006.7.10)
【手続補正１】
【補正対象書類名】特許請求の範囲
【補正対象項目名】全文
【補正方法】変更
【補正の内容】
【特許請求の範囲】
【請求項１】
ブロック画像を符号化する方法であって、
ブロック画像を周波数変換して複数の変換係数を得るステップと、
上記複数の変換係数を低周波成分から高周波成分の順にスキャンして、スキャンされた変換係数を得るステップと、
上記スキャンされた変換係数を可変長符号化するステップとを含む、
ことを特徴とする符号化方法。
【請求項２】
ブロック画像を符号化する方法であって、
ブロック画像を周波数変換して複数の変換係数を得るステップと、
上記複数の変換係数を、低周波成分から高周波成分の順にスキャンして、スキャンされた変換係数を得るステップと、
上記スキャンされた変換係数を、高周波成分から低周波成分の順に可変長符号化するステップとを含む、
ことを特徴とする符号化方法。
【請求項３】
請求項２記載の符号化方法において、
上記可変長符号化は、ブロック単位で行われる、
ことを特徴とする符号化方法。
【請求項４】
請求項２記載の符号化方法において、
上記可変長符号化は、量子化された変換係数に対して行われる、
ことを特徴とする符号化方法。
【請求項５】
符号化ブロック画像を復号化する方法であって、
符号化された変換係数を可変長復号化して復号化変換係数を得るステップと、
上記復号化変換係数を逆スキャンして、逆スキャンされた変換係数を得るステップと、
上記逆スキャンされた変換係数を逆周波数変換してブロック画像を得るステップとを含む、
ことを特徴とする復号化方法。
【請求項６】
符号化ブロック画像を復号化する方法であって、
符号化された変換係数を高周波成分から低周波成分の順に可変長復号化して復号化変換係数を得るステップと、
上記復号化変換係数を逆スキャンして、逆スキャンされた変換係数を得るステップと、
上記逆スキャンされた変換係数を逆周波数変換してブロック画像を得るステップとを含む、
ことを特徴とする復号化方法。
【請求項７】
請求項６記載の復号化方法において、
上記可変長復号化は、ブロック単位で行われる、
ことを特徴とする復号化方法。
【請求項８】
請求項６記載の復号化方法において、
上記逆周波数変換は、逆量子化された変換係数に対して行われる、
ことを特徴とする復号化方法。
【手続補正２】
【補正対象書類名】明細書
【補正対象項目名】００７１
【補正方法】変更
【補正の内容】
【００７１】
本発明は上記のような課題を解決するためになされたもので、可変長符号化処理の対象となるデータ（量子化係数）に存在する情報の冗長性を、量子化係数の特性や量子化係数に対する符号化処理の状況に応じて、より効果的に除去することができ、これにより画像信号などの圧縮率のさらなる向上を図ることができる符号化方法及び復号化方法を得ることを目的とする。
【手続補正３】
【補正対象書類名】明細書
【補正対象項目名】００７２
【補正方法】変更
【補正の内容】
【００７２】
本発明に係る符号化方法は、ブロック画像を符号化する方法であって、ブロック画像を周波数変換して複数の変換係数を得るステップと、上記複数の変換係数を低周波成分から高周波成分の順にスキャンして、スキャンされた変換係数を得るステップと、上記スキャンされた変換係数を可変長符号化するステップとを含む、ことを特徴とするものである。
【手続補正４】
【補正対象書類名】明細書
【補正対象項目名】００７３
【補正方法】変更
【補正の内容】
【００７３】
本発明に係る符号化方法は、ブロック画像を符号化する方法であって、ブロック画像を周波数変換して複数の変換係数を得るステップと、上記複数の変換係数を、低周波成分から高周波成分の順にスキャンして、スキャンされた変換係数を得るステップと、上記スキャンされた変換係数を、高周波成分から低周波成分の順に可変長符号化するステップとを含む、ことを特徴とするものである。
【手続補正５】
【補正対象書類名】明細書
【補正対象項目名】００７４
【補正方法】変更
【補正の内容】
【００７４】
本発明は、上記符号化方法において、上記可変長符号化は、ブロック単位で行われる、ことを特徴とするものである。
【手続補正６】
【補正対象書類名】明細書
【補正対象項目名】００７５
【補正方法】変更
【補正の内容】
【００７５】
本発明は、上記符号化方法において、上記可変長符号化は、量子化された変換係数に対して行われる、ことを特徴とするものである。
【手続補正７】
【補正対象書類名】明細書
【補正対象項目名】００７６
【補正方法】変更
【補正の内容】
【００７６】
本発明に係る復号化方法は、符号化ブロック画像を復号化する方法であって、符号化された変換係数を可変長復号化して復号化変換係数を得るステップと、上記復号化変換係数を逆スキャンして、逆スキャンされた変換係数を得るステップと、上記逆スキャンされた変換係数を逆周波数変換してブロック画像を得るステップとを含む、ことを特徴とするものである。
【手続補正８】
【補正対象書類名】明細書
【補正対象項目名】００７７
【補正方法】変更
【補正の内容】
【００７７】
本発明に係る復号化方法は、符号化ブロック画像を復号化する方法であって、符号化された変換係数を高周波成分から低周波成分の順に可変長復号化して復号化変換係数を得るステップと、上記符号化変換係数を逆スキャンして、逆スキャンされた変換係数を得るステップと、上記逆スキャンされた変換係数を逆周波数変換してブロック画像を得るステップとを含む、ものである。
【手続補正９】
【補正対象書類名】明細書
【補正対象項目名】００７８
【補正方法】変更
【補正の内容】
【００７８】
本発明は、上記復号化方法において、上記可変長復号化は、ブロック単位で行われる、ことを特徴とするものである。
【手続補正１０】
【補正対象書類名】明細書
【補正対象項目名】００７９
【補正方法】変更
【補正の内容】
【００７９】
本発明は、上記復号化方法において、上記逆周波数変換は、逆量子化された変換係数に対して行われる、ことを特徴とするものである。
【手続補正１１】
【補正対象書類名】明細書
【補正対象項目名】００８０
【補正方法】削除
【補正の内容】
【手続補正１２】
【補正対象書類名】明細書
【補正対象項目名】００８１
【補正方法】削除
【補正の内容】
【手続補正１３】
【補正対象書類名】明細書
【補正対象項目名】００８２
【補正方法】削除
【補正の内容】
【手続補正１４】
【補正対象書類名】明細書
【補正対象項目名】００８３
【補正方法】削除
【補正の内容】
【手続補正１５】
【補正対象書類名】明細書
【補正対象項目名】００８４
【補正方法】削除
【補正の内容】
【手続補正１６】
【補正対象書類名】明細書
【補正対象項目名】００８５
【補正方法】削除
【補正の内容】
【手続補正１７】
【補正対象書類名】明細書
【補正対象項目名】００８６
【補正方法】削除
【補正の内容】
【手続補正１８】
【補正対象書類名】明細書
【補正対象項目名】００８７
【補正方法】削除
【補正の内容】
【手続補正１９】
【補正対象書類名】明細書
【補正対象項目名】００８８
【補正方法】削除
【補正の内容】
【手続補正２０】
【補正対象書類名】明細書
【補正対象項目名】００８９
【補正方法】削除
【補正の内容】
【手続補正２１】
【補正対象書類名】明細書
【補正対象項目名】００９０
【補正方法】削除
【補正の内容】
【手続補正２２】
【補正対象書類名】明細書
【補正対象項目名】００９１
【補正方法】削除
【補正の内容】
【手続補正２３】
【補正対象書類名】明細書
【補正対象項目名】００９２
【補正方法】削除
【補正の内容】
【手続補正２４】
【補正対象書類名】明細書
【補正対象項目名】００９３
【補正方法】削除
【補正の内容】
【手続補正２５】
【補正対象書類名】明細書
【補正対象項目名】００９４
【補正方法】削除
【補正の内容】
【手続補正２６】
【補正対象書類名】明細書
【補正対象項目名】００９５
【補正方法】削除
【補正の内容】
【手続補正２７】
【補正対象書類名】明細書
【補正対象項目名】００９６
【補正方法】削除
【補正の内容】
【手続補正２８】
【補正対象書類名】明細書
【補正対象項目名】００９７
【補正方法】削除
【補正の内容】
【手続補正２９】
【補正対象書類名】明細書
【補正対象項目名】００９８
【補正方法】削除
【補正の内容】
【手続補正３０】
【補正対象書類名】明細書
【補正対象項目名】００９９
【補正方法】削除
【補正の内容】
【手続補正３１】
【補正対象書類名】明細書
【補正対象項目名】０１００
【補正方法】削除
【補正の内容】
【手続補正３２】
【補正対象書類名】明細書
【補正対象項目名】０１０１
【補正方法】削除
【補正の内容】
【手続補正３３】
【補正対象書類名】明細書
【補正対象項目名】０１０２
【補正方法】削除
【補正の内容】
【手続補正３４】
【補正対象書類名】明細書
【補正対象項目名】０１０３
【補正方法】削除
【補正の内容】
【手続補正３５】
【補正対象書類名】明細書
【補正対象項目名】０１０４
【補正方法】削除
【補正の内容】
【手続補正３６】
【補正対象書類名】明細書
【補正対象項目名】０１０５
【補正方法】削除
【補正の内容】
【手続補正３７】
【補正対象書類名】明細書
【補正対象項目名】０１０６
【補正方法】削除
【補正の内容】
【手続補正３８】
【補正対象書類名】明細書
【補正対象項目名】０１０７
【補正方法】削除
【補正の内容】
【手続補正３９】
【補正対象書類名】明細書
【補正対象項目名】０１０８
【補正方法】削除
【補正の内容】
【手続補正４０】
【補正対象書類名】明細書
【補正対象項目名】０１０９
【補正方法】削除
【補正の内容】
【手続補正４１】
【補正対象書類名】明細書
【補正対象項目名】０１１０
【補正方法】削除
【補正の内容】
【手続補正４２】
【補正対象書類名】明細書
【補正対象項目名】０１１１
【補正方法】削除
【補正の内容】
【手続補正４３】
【補正対象書類名】明細書
【補正対象項目名】０１１２
【補正方法】削除
【補正の内容】
【手続補正４４】
【補正対象書類名】明細書
【補正対象項目名】０１１３
【補正方法】削除
【補正の内容】
【手続補正４５】
【補正対象書類名】明細書
【補正対象項目名】０１１４
【補正方法】削除
【補正の内容】
【手続補正４６】
【補正対象書類名】明細書
【補正対象項目名】０１１５
【補正方法】削除
【補正の内容】
【手続補正４７】
【補正対象書類名】明細書
【補正対象項目名】０１１６
【補正方法】削除
【補正の内容】
【手続補正４８】
【補正対象書類名】明細書
【補正対象項目名】０１１７
【補正方法】削除
【補正の内容】
【手続補正４９】
【補正対象書類名】明細書
【補正対象項目名】０１１８
【補正方法】削除
【補正の内容】
【手続補正５０】
【補正対象書類名】明細書
【補正対象項目名】０１１９
【補正方法】削除
【補正の内容】
【手続補正５１】
【補正対象書類名】明細書
【補正対象項目名】０１２０
【補正方法】削除
【補正の内容】
【手続補正５２】
【補正対象書類名】明細書
【補正対象項目名】０１２１
【補正方法】削除
【補正の内容】